(57)【要約】【課題】未使用時の収納性および携帯性を良好にしつつ、所謂置きピン撮影待機時の電池消耗および撮影者の不要な手間を抑制可能なカメラシステムを提供する。 【解決手段】カメラボディに着脱可能に装着される交換レンズは、焦点調節のためのフォーカスレンズと、前記フォーカスレンズを光軸方向に駆動するための駆動手段とを備え、前記カメラボディは、電源オフ時の動作として、前記フォーカスレンズを無限遠位置に駆動するか否かを選択可能な選択手段を備えることを特徴とする構成のカメラシステムとした。【選択図】  図４
2016009139.tif 000002
【特許請求の範囲】
【請求項１】
カメラボディと、前記カメラボディに着脱可能に装着される交換レンズとから構成されるカメラシステムであって、前記交換レンズは、 
焦点調節のためのフォーカスレンズと、 
前記フォーカスレンズを光軸方向に駆動するための駆動手段とを備え、 
前記カメラボディは、電源オフ時の動作として、前記フォーカスレンズを無限遠位置に駆動するか否かを選択可能な選択手段を備えることを特徴とするカメラシステム。 
【請求項２】
前記カメラボディは、前記選択手段により前記フォーカスレンズを無限遠位置とすることを選択されていた場合には、前記カメラボディの電源オフ時に前記交換レンズに対して前記フォーカスレンズを無限遠位置に駆動する命令を発行することを特徴とする請求項１に記載のカメラシステム。
【発明の詳細な説明】
【技術分野】
【０００１】
本発明は、カメラボディからの通信でフォーカスレンズを駆動可能な交換レンズを含むカメラシステムに関するものである。
【背景技術】
【０００２】
レンズ交換式の一眼レフカメラシステムにおいては、カメラボディおよび交換レンズの間で接触式または非接触式通信によって情報の送受信を行い、オートフォーカス制御や露出制御を行う製品が主流となっている。また、フォーカシングの際に交換レンズ内の１群のフォーカスレンズの繰り出し、繰り込みを行う所謂前玉フォーカスタイプの交換レンズでは、フォーカスレンズの位置によって交換レンズの全長が変化するため、収納性、携帯性を考えると持ち運びの際には全長が最も短い状態、すなわちフォーカスレンズが無限遠位置であることが望ましい。
【０００３】
特許文献１では、カメラボディの電源がＯＦＦとなった場合に、交換レンズのフォーカスレンズを無限遠位置とすることで、交換レンズの全長を最も短い状態とするカメラシステムが考案されている。
【先行技術文献】
【特許文献】
【０００４】
【特許文献１】特開平６-５１１９０号公報
【発明の概要】
【発明が解決しようとする課題】
【０００５】
一方、フォーカスレンズを所定の位置に固定して撮影者の所望するシャッタータイミングを待った後に撮影する所謂置きピン撮影では、カメラボディの電池残量の消耗を防ぐためにフォーカスレンズの位置を固定したあとでカメラ電源をＯＦＦにして待機することが考えられる。しかしながら、特許文献１の発明ではカメラ電源をＯＦＦにするとフォーカスレンズが無限遠位置に駆動されてしまうため、いざ撮影をするためにカメラ電源をＯＮにした際に再度フォーカスレンズの位置合わせを行う必要があった。
【０００６】
本発明は上記のような課題に鑑みてなされたものであり、持ち運び時の収納性、携帯性を保持しながら置きピン撮影時の撮影者の不要な手間を削減することが可能なカメラシステムを提供することを目的とする。
【課題を解決するための手段】
【０００７】
上記目的を達成するため、請求項１に記載の発明は、カメラボディと、前記カメラボディに着脱可能に装着される交換レンズとから構成されるカメラシステムであって、前記交換レンズは、焦点調節のためのフォーカスレンズと、前記フォーカスレンズを光軸方向に駆動するための駆動手段とを備え、前記カメラボディは、電源オフ時の動作として、前記フォーカスレンズを無限遠位置に駆動するか否かを選択可能な選択手段を備えることを特徴とするものである。
【発明の効果】
【０００８】
本発明によれば、持ち運び時の収納性、携帯性を保持しながら置きピン撮影時の撮影者の不要な手間を削減することが可能なカメラシステムを提供することができる。
【図面の簡単な説明】
【０００９】
【図１】本実施例におけるカメラシステムのブロック図である。
【図２】本実施例における交換レンズの概略図である。
【図３】本実施例におけるカメラ電源ＯＦＦ時の動作を設定する設定画面の概略図である。
【図４】本実施例におけるカメラ電源ＯＦＦ時の処理を表すフローチャート図である。
【発明を実施するための形態】
【００１０】
以下に、本発明の好ましい実施の形態を、添付の図面に基づいて詳細に説明する。
【００１１】
［実施例１］
図１は本発明の実施形態１に係る交換レンズと、該交換レンズが着脱可能に装着されるカメラボディから構成されるカメラシステムの電気ブロック図の一例である。
【００１２】
図１において、カメラシステム１は交換レンズ２とカメラボディ３から構成される。カメラボディ３内には、カメラＣＰＵ３０、制御系電源３１、駆動系電源３２、通信ユニット３３、レンズ装着検出部３４、測距ユニット３５等が設けられている。
【００１３】
カメラＣＰＵ３０はカメラボディ３のすべての制御を司っており、内部にはＲＡＭ，ＲＯＭ，ＥＥＰＲＯＭ等を内蔵している。制御系電源３１は、測距ユニット３５や不図示の測光部等の電力消費量が比較的少なく安定した出力電圧を必要とする制御系回路に電力を供給する。駆動系電源３２は、制御系電源３１の電圧、電力を検出し、交換レンズ２や不図示のシャッタ制御部等の電力消費量が比較的多い駆動系回路に電力を供給する。通信ユニット３３は後述のレンズＣＰＵ２０と通信を行うための複数の通信端子を有し、測距情報や測光情報、ＩＤ情報等を送受信する。レンズ装着検出部３４は交換レンズ２が装着されたことを検出する。測距ユニット３５は交換レンズ２からの光束を用いて被写体までのデフォーカス量を検出する、いわゆる位相差検出型の測距ユニットである。
【００１４】
交換レンズ２内には、レンズＣＰＵ２０、フォーカスレンズ２１、フォーカスレンズ駆動回路２２、絞りユニット２３、絞り駆動回路２４、通信ユニット２５が設けられている。
【００１５】
レンズＣＰＵ２０は交換レンズ２内のすべての制御を司っており、内部にはＲＡＭ，ＲＯＭ，ＥＥＰＲＯＭ等を内蔵している。フォーカスレンズ駆動回路２２はレンズＣＰＵ２０からの命令に従ってフォーカスレンズ２１を光軸に沿って駆動させることで焦点調節を可能にしている。絞り駆動回路２４はレンズＣＰＵ２０からの命令に従って絞りユニット２３を駆動させることでＦ値を制御している。通信ユニット２５はカメラＣＰＵと通信を行うための複数の通信端子を有し、測距情報や測光情報、ＩＤ情報等を送受信する。
【００１６】
図２は本発明における交換レンズ２のフォーカスレンズ２１の位置による全長の変化を示した図である。
【００１７】
先に述べたように、フォーカシングの際に交換レンズ内の１群のフォーカスレンズ２１の繰り出し、繰り込みを行う所謂前玉フォーカスタイプの交換レンズでは、フォーカスレンズ２１の位置によって交換レンズの全長が変化する。その全長はフォーカスレンズ２１の位置を無限遠位置にしたときが最も短くなり、逆にフォーカスレンズ２１の位置を最至近位置にしたときが最も長くなる。図２においては、（Ａ）の状態がフォーカスレンズ２１を無限遠位置にしたときを表わしており、（Ｂ）の状態がフォーカスレンズ２１を最至近位置にしたときを表わしている。
【００１８】
図３は本発明におけるカメラボディ３の電源ＯＦＦ時の動作を選択する画面を示した図である。
【００１９】
本発明では、カメラ電源ＯＦＦ時の動作を選択可能としている。図３に示すように、カメラボディ３のメニュー画面の中に電源ＯＦＦ時の動作に関する項目を用意し、フォーカスレンズ２１を無限遠位置に駆動するか、何もせずそのままとするかを撮影者の意図によって選択可能としている。
【００２０】
先に述べたように、フォーカスレンズ２１を所定の位置に固定して撮影者の所望するシャッタータイミングを待った後に撮影する所謂置きピン撮影では、カメラボディの電池残量の消耗を防ぐためにフォーカスレンズ２１の位置を固定したあとでカメラ電源をＯＦＦにして待機することが考えられる。その場合にはカメラ電源ＯＦＦ時にフォーカスレンズ２１を無限遠位置に駆動しない設定にすることで、カメラ電源をＯＦＦにしたときにフォーカスレンズ２１が無限遠位置に駆動されてしまうことを回避することができる。
【００２１】
一方で、カメラ電源ＯＦＦと同時に収納・持ち運びを行う場合には、カメラ電源ＯＦＦ時にフォーカスレンズ２１を無限遠位置に駆動する設定にすることで、カメラ電源ＯＦＦと同時にレンズの全長が短くなり、収納性、携帯性を高めることができる。
【００２２】
なお、図３ではカメラボディ３のメニュー設定によってカメラ電源ＯＦＦ時の動作を切り換え可能としたが、本発明はこれに限定されない。例えば、カメラボディ３に機械的な切り換えスイッチを用意し、そのスイッチの設定によってカメラ電源ＯＦＦ時の動作を切り換え可能にしても良い。あるいは、置きピン撮影の多くは三脚に固定された状態で行われることから、三脚が取り付けられていることを検出した場合に、自動でカメラ電源ＯＦＦ時の動作を、フォーカスレンズ２１を無限遠位置に駆動しない設定に切り換えても良い。
【００２３】
次に図４を用いて、カメラ電源をＯＦＦとした際の交換レンズ２およびカメラボディ３の動作の流れを説明する。
【００２４】
図４は本発明におけるカメラ電源をＯＦＦとした際の交換レンズ２およびカメラボディ３の動作の流れを示すフローチャートの一例である。なお、図中「Ｙ」はＹｅｓ、「Ｎ」はＮｏの意味である。
【００２５】
ＳＴ４０１ではカメラ電源がＯＦＦにされたか否かを判定する。カメラ電源がＯＦＦにされた場合にはＳＴ４０２に進む。一方、カメラ電源がＯＦＦにされていない場合には、再度ＳＴ４０１に戻る。
【００２６】
ＳＴ４０２では、カメラ電源ＯＦＦ時の動作の設定を確認する。カメラ電源ＯＦＦ時の動作が交換レンズ２のフォーカスレンズ２１を無限遠位置へ駆動する設定だった場合にはＳＴ４０３に進む。一方、カメラ電源ＯＦＦ時の動作が交換レンズ２のフォーカスレンズ２１を無限遠位置へ駆動しない設定だった場合には、そのまま処理を終了する。
【００２７】
ＳＴ４０３では、交換レンズ２に対してフォーカスレンズ２１を無限遠位置へ駆動するための駆動命令を発行し、処理を終了する。
【００２８】
なお、本実施例では、カメラ電源ＯＦＦ時の動作の設定情報を元に、カメラ電源をＯＦＦにされた際にカメラボディ３が交換レンズ２に対してフォーカスレンズ２１を無限遠位置に駆動する命令を発行するか否かを変更しているが、本発明はこれに限定されない。例えば、交換レンズ２に対してカメラボディ３からカメラ電源ＯＦＦ時の動作の設定情報と、カメラ電源がＯＦＦにされたことを示すカメラ電源情報を送信し、その情報を元に交換レンズ２がフォーカスレンズ２１を無限遠位置に駆動するか否かを変更しても良い。
【００２９】
また交換レンズ２の種類によっては、オートフォーカスモードとマニュアルフォーカスモードを切り換え可能なフォーカスモード切り換え手段を備えているものがある。この種類の交換レンズに対しては、カメラ電源ＯＦＦ時の動作の設定情報と、フォーカスモード切り換え手段の選択情報を元にカメラボディ３が交換レンズ２に対してフォーカスレンズ２１を無限遠位置に駆動する命令を発行するか否かを変更しても良い。具体的には、カメラ電源ＯＦＦ時の動作が交換レンズ２のフォーカスレンズ２１を無限遠位置へ駆動する設定であって、さらにフォーカスモード切り替え手段によってオートフォーカスモードが選択されているときのみカメラボディ３から交換レンズ２に対してフォーカスレンズ２１を無限遠位置に駆動する命令を発行する。
【００３０】
以上のように、本実施例の内容によれば、カメラ電源をＯＦＦにした際の交換レンズの動作をカメラの設定によって選択可能となる。これにより持ち運び時の収納性、携帯性を保持しながら、置きピン撮影時の撮影者の不要な手間を削減することができる。
【００３１】
また、本実施例では本発明の好ましい形態について説明したが、本発明はこれに限定されないことはいうまでもなく、その要旨の範囲内で種々の変形及び変更が可能である。
【符号の説明】
【００３２】
１  カメラシステム、２  交換レンズ、３  カメラボディ、２０  レンズＣＰＵ、
２１  フォーカスレンズ、２２  フォーカスレンズ駆動回路、２３  絞りユニット、
２４  絞り駆動回路、２５  通信ユニット、３０  カメラＣＰＵ、３１  制御系電源、
３２  駆動系電源、３３  通信ユニット、３４  レンズ装着検出部、３５  測距ユニット
【図２】
2016009139.tif 000003
【図３】
2016009139.tif 000004
【図１】
2016009139.tif 000005
【図４】
2016009139.tif 000006